(57)【要約】      （修正有）【課題】ターボ発電装置の始動時に緊急停止が発生することを防止でき、始動時間が短縮できる始動方法を提供する。【解決手段】ターボ機械を含むが、それに限定されない発電装置を始動する方法は、発電装置を第１の速度まで加速する工程３１５と、発電装置の動作を支援するための複数の発電装置システムの動作準備が完了したかを判定する工程（試験の工程）３２５、３４５と、複数の発電装置システムの動作準備が完了した場合、発電装置を始動し、かつ全速まで加速する工程を含む。【選択図】図３Ａ
2011132959.tif 000002
【特許請求の範囲】
【請求項１】
発電装置を始動する方法（３００）において、
電力を発生するように構成された発電装置（１００）を提供する工程と；
前記発電装置（１００）を第１の速度まで加速する工程（３１５）と；
前記発電装置（１００）の動作を支援するために複数の発電装置システム（１６０）の動作準備が完了したか否かを判定する工程（３２５、３４５）と；
前記発電装置（１００）の動作のために前記複数の発電装置システムの動作準備が完了した場合、前記発電装置（１００）を始動し且つ全速まで加速する工程（３８０、３９５）とから成り、
前記発電装置（１００）の動作を支援するために前記複数の発電装置システムの動作準備が完了したか否かを判定するステップは、前記発電装置（１００）の始動前に実行され、それにより前記発電装置（１００）が全速に到達する前に運転停止が起こる可能性を低減する方法（３００）。
【請求項２】
前記複数の発電装置システム（１６０）は第１の群及び第２の群を含む請求項１記載の方法（３００）。
【請求項３】
前記第１の群の動作準備完了度を判定するために前記第１の群が始動前試験に合格するか否かを判定するステップ（３２５）を更に含む請求項２記載の方法（３００）。
【請求項４】
動作準備完了度を判定する前記始動前試験に前記第１の群が合格しない場合、前記発電装置（１００）を運転停止するステップ（３３０、３３、３３６、３３９）を更に含む請求項３記載の方法（３００）。
【請求項５】
前記第２の群の動作準備完了度を判定するために前記第２の群が始動前試験に合格するか否かを判定するステップ（３４５）を更に含む請求項２記載の方法（３００）。
【請求項６】
動作準備完了度を判定する前記始動前試験に前記第２の群が合格したか否かに関する通知を提供するステップ（３５０）を更に含む請求項５記載の方法（３００）。
【請求項７】
前記発電装置（１００）の動作を支援するために前記複数の発電装置システムの動作準備が完了した場合、動作許可を有効化するステップ（３６５）を更に含む請求項１記載の方法（３００）。
【請求項８】
パージ換気タイマが時間切れになったか否かを判定するステップ（３５５）を更に含み、前記パージ換気タイマは、前記発電装置（１００）の十分なパージが実行されることを保証するように構成される請求項７記載の方法（３００）。
【請求項９】
パージホールドタイマが時間切れになった場合、動作許可を無効化するステップ（３７０）を更に含み、前記パージホールドタイマは、パージが完了した発電装置（１００）が所望の時間フレーム内に動作されることを保証するように構成される請求項８記載の方法（３００）。
【請求項１０】
ターボ機械（１００）を始動する方法（３００）において、
ターボ機械（１００）を提供する工程と；
ターボ機械（１００）をほぼパージ速度まで加速する工程（３１５）と；
点火過程が実行される前に複数の動作支援システムがターボ機械（１００）の動作を支援可能であるか否かを判定する工程（３２５、３４５）と；
複数の動作支援システムがターボ機械（１００）の動作を支援可能である場合、ターボ機械（１００）をほぼ全速まで加速する工程（３８０、３９５）とから成り、
複数の動作支援システムがターボ機械（１００）の動作を支援可能であるか否かを判定する工程は、点火過程の後に緊急停止が起こる可能性を低減する方法（３００）。
【発明の詳細な説明】
【技術分野】
【０００１】
本発明は、一般に発電装置の動作に関し、特に、発電装置の始動時間を短縮するために始動システムを構成する方法に関する。
【背景技術】
【０００２】
急速に始動して電力を発生できる発電装置構成を操作員が望む場合がある。しかし、周知の発電装置始動方法は、運転停止又は緊急動作停止（以下、「緊急停止」という）に至ることもある。これは、発電装置が始動シーケンスの大部分を終了するまで、ＤＣ潤滑油系統には限定されないが、ＤＣ潤滑油系統などのある特定のシステムが試験されないために起こる。この場合、始動過程が適切に進行するようになるまでシステムの障害は通知されない。運転停止又は緊急停止は発電装置の動作における遅延の主な原因である。
【発明の概要】
【発明が解決しようとする課題】
【０００３】
従って、発電装置を始動する改良された方法が望まれている。方法は発電装置の始動前に前述のシステムを試験すべきである。
【課題を解決するための手段】
【０００４】
本発明の一実施形態において、発電装置を始動する方法（３００）は、電力を発生するように構成された発電装置（１００）を提供することと；発電装置（１００）を第１の速度まで加速すること（３１５）と；発電装置（１００）の動作を支援するために複数の発電装置システム（１６０）の動作準備が完了したか否かを判定すること（３２５、３４５）と；発電装置（１００）の動作のために複数の発電装置システムの動作準備が完了した場合、発電装置（１００）を始動し且つ全速まで加速すること（３８０、３９６）とから成り、発電装置（１００）の動作を支援するために複数の発電装置システムの動作準備が完了したか否かを判定する工程は、発電装置（１００）の始動前に実行され、それにより、発電装置（１００）が全速に到達する前に運転停止が起こる可能性は低減される。
【０００５】
本発明の別の実施形態において、ターボ機械（１００）を始動する方法（３００）は、ターボ機械（１００）を提供することと；ターボ機械（１００）をほぼパージ速度まで加速すること（３１５）と；点火過程が実行される前に複数の動作支援システムがターボ機械（１００）の動作を支援可能であるか否かを判定すること（３２５、３４５）と；複数の動作支援システムがターボ機械（１００）の動作を支援可能である場合、ターボ機械（１００）をほぼ全速まで加速すること（３８０、３９５）とから成り、複数の動作支援システムがターボ機械（１００）の動作を支援可能であるか否かを判定する工程は、点火過程の後に緊急停止が起こる可能性を低減する。
【図面の簡単な説明】
【０００６】
【図１】図１は本発明の一実施形態が動作してもよい環境を示した概略図である。
【図２】図２はターボ機械を始動する周知の方法を示したブロック図である。
【図３Ａ】図３を構成する図３Ａ及び図３Ｂは、本発明の一実施形態に係るターボ機械を始動する方法を示したブロック図である。
【図３Ｂ】図３を構成する図３Ａ及び図３Ｂは、本発明の一実施形態に係るターボ機械を始動する方法を示したブロック図である。
【発明を実施するための形態】
【０００７】
本発明は、発電装置を始動することと関連する始動時間を短縮するという技術的効果を有する。本発明の一実施形態はターボ機械などの発電装置を始動する方法を提供する。尚、発電装置はターボ機械に限定されない。ターボ機械は、蒸気タービン、重構造ガスタービン、航空機派生ガスタービンなどを含んでもよいが、それらに限定されない。本発明の方法の一実施形態は、ターボ機械を始動する新たな原理を提供する。本発明の実施形態はガスタービンに関連して説明されるが、本発明はガスタービンへの適用に限定されない。本発明の実施形態は、本明細書に記載されない他のターボ機械及び発電装置に適用されてもよい。
【０００８】
本明細書において詳細な実施形態が開示される。しかし、本明細書において開示される特定の構造及び機能の詳細は、例示的な実施形態を説明する目的で示される代表的な構造及び機能であるにすぎない。しかし、実施形態は多くの代替形態で実施されてもよく、本明細書に記載される実施形態のみに限定されると解釈されるべきではない。
【０００９】
従って、例示的な実施形態は種々の変形及び代替形態が可能であるが、実施形態は例として図面に示され且つ詳細に説明される。しかし、開示される特定の形態に実施形態を限定しようとする意図はまったくなく、実施形態はその範囲内に入るすべての変形、同等物及び代替形態を含むことが理解されるべきである。
【００１０】
種々の要素を説明するために本明細書において「第１の」、「第２の」などの用語が使用されてもよいが、それらの要素はそれらの用語により限定されてはならないことが理解されるだろう。それらの用語は単に１つの要素を別の要素と区別するために使用されているだけである。例えば、実施形態の範囲から逸脱することなく第１の要素は第２の要素と呼ばれてもよく、同様に、第２の要素は第１の要素と呼ばれることも可能だろう。本明細書において使用される場合の用語「及び／又は」は、それに関連して挙げられている項目のうち１つ以上の項目のあらゆる組み合わせを含む。
【００１１】
本明細書において使用される用語は、特定の実施形態を説明するためだけに使用され、実施形態を限定することを意図しない。本明細書において使用される単数形は、明示して指示のない限り複数形も含むことを意図する。更に、本明細書において使用される場合の用語「具備する」及び／又は「含む」は、そこに挙げられている特徴、数字、ステップ、動作、要素及び／又は構成要素の存在を特定するが、１つ以上の他の特徴、数字、ステップ、動作、要素、構成要素及び／又はそれらの集合の存在又は追加を除外しないことが理解されるだろう。
【００１２】
尚、いくつかの代替実現形態において、記載されている機能／動作は、図面に示される順序とは異なる順序で実行されてもよい。例えば、関連する機能性／動作に応じて、２つの連続する図はほぼ同時に実行されてもよいが、場合によっては逆の順序で実行されてもよい。本発明の実施形態は、１つの発電装置及び１つの始動手段を具備するシステムに関連して説明されてもよいが、本発明はその型の発電装置構成への適用に限定されない。
【００１３】
そこで図面を参照すると、いくつかの図を通して種々の図中符号は同様の部分を示す。図１は、本発明の一実施形態が動作してもよい環境を示した概略図である。図１において、ガスタービンの形のターボ機械１００は、圧縮機部分１１０、各々が燃料ノズル１２５を具備する燃焼系統の複数の燃焼缶１２０、タービン部分１３０及び中間部分１４０に通じる流路１３５を含む。ターボ機械１００の動作を支援するために、複数の動作支援システム１５０が必要とされる。動作支援システムは燃料供給系統１６０の中のサーボ弁システムを含むが、それに限定されない。燃焼系統は燃料供給系統１６０から天然ガスなどの燃料を受け取ってもよいが、燃料は天然ガスに限定されない。
【００１４】
一般に、圧縮機部分１１０は、複数の入口案内翼（ＩＧＶ）と、流体を圧縮するように構成された複数の動翼及び静翼とを含む。複数の燃焼缶１２０は燃料供給系統１６０に結合されてもよい。各燃焼缶１２０の中で圧縮空気と燃料は、混合され、点火され且つ流路１３５の中で消費されることにより、動作流体を形成する。
【００１５】
一般に、動作流体の流路１３５は、燃料ノズル１２５の後端部から中間部分１４０を通ってタービン部分１３０の中まで下流側へ続く。タービン部分１３０は、動作流体を機械的トルクに変換する複数の回転構成要素及び静止構成要素（いずれも図示せず）を含む。機械的トルクは、発電機、機械式駆動装置などの負荷１７０を駆動するために使用されてもよいが、負荷はそれらに限定されない。負荷１７０の出力は、ターボ機械１００の動作を制御するためのパラメータとしてタービン制御システム１９０などにより使用されてもよい。更に、ターボ機械１００の動作を制御するためのパラメータとして、排気温度データ１８０がタービン制御システム１９０などにより使用されてもよい。
【００１６】
本発明は、方法、システム又はコンピュータプログラム製品として実現されてもよいことが理解されるだろう。従って、本発明は、完全にハードウェアの実施形態、完全にソフトウェアの実施形態（ファームウェア、常駐ソフトウェア、マイクロコードなどを含む）又は本明細書においてすべて一般に「回路」、「モジュール」又は「システム」と呼ばれるソフトウェアの態様とハードウェアの態様とを組み合わせた実施形態のいずれの形態をとってもよい。更に、本発明は、コンピュータ使用可能プログラムコードが実現されているコンピュータ使用可能記憶媒体に格納されたコンピュータプログラムの形態をとってもよい。本明細書において使用される場合の用語「ソフトウェア」及び「ファームウェア」は、互換性を有し且つプロセッサにより実行されるためにＲＡＭメモリ、ＲＯＭメモリ、ＥＰＲＯＭメモリ、ＥＥＰＲＯＭメモリ及び不揮発性ＲＡＭ（ＮＶＲＡＭ）メモリを含むメモリに格納された任意のコンピュータプログラムを含む。上記のメモリの種類は単なる例であり、コンピュータプログラムを記憶するために使用可能なメモリの種類に関して本発明を制限するものではない。
【００１７】
任意の適切なコンピュータ可読媒体が利用されてよい。コンピュータ使用可能媒体又はコンピュータ可読媒体は、例えば、電子システム、電子装置又は電子伝播媒体、磁気システム、磁気装置又は磁気伝播媒体、電磁システム、電磁装置又は電磁伝播媒体、赤外線システム、赤外線装置又は赤外線伝播媒体、あるいは半導体システム、半導体装置、半導体デバイス又は半導体伝播媒体であってもよいが、それらに限定されない。コンピュータ可読媒体の更に特定された例（それらに限定されない）は、１つ以上のワイヤを含む電気接続、携帯型コンピュータディスケット、ハードディスク、ランダムアクセスメモリ（ＲＡＭ）、読み取り専用メモリ（ＲＯＭ）、消去可能プログラム可能読み取り専用メモリ（ＥＰＲＯＭ又はフラッシュメモリ）、光ファイバ、携帯型コンパクトディスク読み取り専用メモリ（ＣＤ‐ＲＯＭ）、光記憶装置、インターネット又はイントラネットを支援する媒体のような送信媒体、あるいは磁気記憶装置を含むだろう。尚、例えば、紙又は他の媒体を光学的走査によってプログラムを電子的に取り込み、コンパイルし、解釈し又は必要に応じて適切な方法により処理することが可能であり、更に、コンピュータメモリに格納可能であるという理由により、コンピュータ使用可能媒体又はコンピュータ可読媒体は、プログラムが印刷された紙又は別の適切な媒体であってもよいだろう。本明細書に関しては、コンピュータ使用可能媒体又はコンピュータ可読媒体は、命令実行システム又は命令実行装置により使用するために、あるいは命令実行システム又は命令実行装置と関連して使用するためのプログラムを含み、格納し、通信し、伝播し又は搬送することが可能である任意の媒体であってもよい。
【００１８】
本明細書において使用される場合の用語「プロセッサ」は、中央処理装置、マイクロプロセッサ、マイクロコントローラ、縮小命令セット回路（ＲＩＳＣ）、特定用途向け集積回路（ＡＳＩＣ）、論理回路及び本明細書において説明される機能を実行可能な他の任意の回路又はプロセッサを示す。
【００１９】
本発明の動作を実行するためのコンピュータプログラムコードは、Ｊａｖａ（商標）７、Ｓｍａｌｌｔａｌｋ又はＣ＋＋などのオブジェクト指向プログラミング言語で書き込まれてもよい。しかし、本発明の動作を実行するためのコンピュータプログラムコードは、「Ｃ」プログラミング言語又はそれに類似する言語などの従来の手続き型プログラミング言語で書き込まれてもよい。プログラムコードは、ユーザのコンピュータですべて実行されてもよく、独立型ソフトウェアパッケージとして一部がユーザのコンピュータで実行されてもよく、一部がユーザのコンピュータで実行され且つ一部が遠隔コンピュータで実行されてもよく、あるいは遠隔コンピュータですべて実行されてもよい。遠隔コンピュータで実行される場合、遠隔コンピュータは、ローカルエリアネットワーク（ＬＡＮ）又はワイドエリアネットワーク（ＷＡＮ）を介してユーザのコンピュータに接続されてもよいが、外部コンピュータ（例えば、インターネットサービスプロバイダを使用してインターネットを介して）に対する接続が実行されてもよい。
【００２０】
以下に、本発明の実施形態に係る方法、装置（システム）及びコンピュータプログラム製品を示したフローチャート及び／又はブロック図を参照して本発明を説明する。フローチャート及び／又はブロック図の各ブロック並びにフローチャート及び／又はブロック図のブロックの組み合わせは、コンピュータプログラム命令により実現可能であることが理解されるだろう。コンピュータ又は他のプログラム可能データ処理装置のプロセッサを介して実行された命令がフローチャート及び／又はブロック図の１つ以上のブロックにおいて指定される機能／動作を実現する手段を形成するように機械を形成するために、それらのコンピュータプログラム命令は、汎用コンピュータ、専用コンピュータ又は他のプログラム可能データ処理装置のプロセッサに提供されてもよい。
【００２１】
それらのコンピュータプログラム命令は、コンピュータ可読メモリに格納されてもよく、コンピュータ又は他のプログラム可能データ処理装置に特定の態様で機能することを指示可能であり、コンピュータ可読メモリに格納された命令は、フローチャート及び／又はブロック図の１つ以上のブロックにおいて指定される機能／動作を実現する命令手段を含む製造物品を生成する。コンピュータプログラム命令はコンピュータ又は他のプログラム可能データ処理装置にロードされてもよく、それらの命令は、コンピュータ実現処理を生成するために、コンピュータ又は他のプログラム可能装置において一連の動作ステップを実行させてもよく、コンピュータ又は他のプログラム可能装置において実行された場合、命令は、フローチャート及び／又はブロック図のブロックで指定される機能／動作を実現するためのステップを提供する。
【００２２】
再び図を参照すると、図２はターボ機械を始動する周知の方法２００を示したブロック図である。ステップ２１０において、ターボ機械はターニングギアなどの不作動状態にある。不作動状態はターニングギアに限定されない。ターボ機械の操作員は動力に対する要求を待っていてもよい。
【００２３】
ステップ２２０において、方法２００はターボ機械の始動を開始してもよい。この時点で、動力に対する要求は既に受信されていてもよい。
【００２４】
ステップ２３０において、方法２００は、ターボ機械の始動が実行される間にターボ機械の動作支援システムの試験を開始してもよい。通常、動作支援システムは、種々の給油系統、電気系統及び換気系統を含む。それらの動作支援システムのうちいくつかは、ターボ機械又は関連補助装置の正常動作中に使用されてもよい。他の動作支援システムは、ターボ機械又は関連補助装置のバックアップシステムとして使用されてもよい。それらのシステムは、ＤＣ潤滑油系統、圧縮機抽気弁系統、油圧系統、漏れ検出システム、パージ系統を含んでもよいが、それらに限定されない。それらのシステムは、ＡＣ潤滑油系統、サーボ弁系統、制御弁系統、ミスト除去装置、換気系統、空気噴霧装置及び発電機密封油系統を更に含んでもよいが、それらに限定されない。
【００２５】
ステップ２４０において、方法２００は上述の動作支援システムが試験に合格するか否かを判定してもよい。システムが試験に合格した場合、方法２００はステップ２５０へ進んでもよい。試験に合格しなかった場合、方法２００はステップ２６０へ進んでもよい。
【００２６】
ステップ２５０において、方法２００はターボ機械の始動及び正常動作を継続してもよい。
【００２７】
ステップ２６０において、方法２００はターボ機械を運転停止してもよい。障害が存在する特定のシステムに応じて、方法２００は、正常運転停止又は緊急運転停止（緊急停止としても知られる）を実行してもよい。前述のように、始動が開始された後のターボ機械の運転停止は、ターボ機械からの動力の送出を著しく遅延させる。
【００２８】
合わせて図３を構成する図３Ａ及び図３Ｂは、本発明の一実施形態に係るターボ機械を始動する方法３００を示したブロック図である。本質的には、図３は、始動過程が開始される前に上述のターボ機械システムを試験する方法３００を示したブロック図である。以下に、ガスタービンには限定されないが、ガスタービンを含むターボ機械に関連して方法３００を説明するが、方法３００の実施形態はガスタービンに限定されることを意図しない。方法３００の実施形態は、本明細書に記載されない他の発電装置又は工業機械に適用されてもよい。
【００２９】
ステップ３０５において、ターボ機械はターニングギアなどの不作動状態にあるが、不作動状態はターニングギアに限定されない。ターボ機械の操作員は動力に対する要求を待っていてもよい。
【００３０】
ステップ３１５において、方法３００は、ターボ機械及び下流側のいくつかの補助装置のパージを可能にする速度までターボ機械を加速するために始動手段を使用してもよい。ガスタービンに限定されないが、例えば、ガスタービンは、点火過程及び燃焼過程が開始される前に一次流路のパージングを通常必要とする。この場合、複数の空気流体が一次流路を通って流れるまで、ガスタービンは加速され且つパージ速度に維持される。このパージングはターボ機械の始動前に実行される。
【００３１】
本発明はパージ過程中に前述の動作支援システムを試験する。この試験は、燃焼過程が開始される前に動作支援システムに障害が存在するか否かを判定してもよい。これにより、始動過程中のターボ機械の運転停止又は緊急停止が回避されてもよい。
【００３２】
方法３００の一実施形態は、動作支援システムを複数の群に分割してもよい。各群は、他の群と並列に試験されてもよいが、連続して試験されてもよい。第１の群は、障害が起こった場合に運転停止を必要とするシステムを含んでもよい。それらのシステムは、ＤＣ潤滑油系統、圧縮機抽気弁系統、油圧系統、漏れ検出システム及びパージ系統を含んでもよいが、それらに限定されない。第２の群は、障害が起こった場合でも運転停止を必要としないシステムを含んでもよい。それらのシステムはＡＣ潤滑油系統、サーボ弁系統、制御弁系統、ミスト除去装置、換気系統、空気噴霧装置及び発電機密封油系統を含んでもよいが、それらに限定されない。
【００３３】
図３Ａに示されるように、方法３００の一実施形態は、第１群のシステムと第２群のシステムを並列に試験してもよい。しかし、本発明の実施形態はこの試験方式に限定されることを意図しない。本発明の他の実施形態は、第１の群に続いて第２の群を試験してもよいし、あるいは第２の群に続いて第１の群を試験してもよい。
【００３４】
ステップ３２０において、方法３００は第１の群のシステム（第１群システム）の試験を開始してもよい。特定のシステムごとの試験ルーチンは、同様の第１群システムの周知の試験ルーチンに類似していてもよい。本発明の一実施形態において、方法３００は、操作員による試験開始を可能にするＧＵＩの画面を提供してもよい。本発明の別の実施形態において、方法３００は自動的に試験を開始してもよい。
【００３５】
ステップ３２５において、方法３００は、第１群システムの各システムが試験に合格するか否かを判定してもよい。各システムが試験に合格した場合、方法３００はステップ３３５へ進んでもよい。試験に合格しなかった場合、方法３００はステップ３３０及び３３３へ進んでもよい。ステップ３００及び３３３は同時に実行されてもよい。
【００３６】
ステップ３３０において、方法３００は、第１群システムのうち１つ以上のシステムが試験に合格しなかったという通知を発生してもよい。この通知は、警報、通知又はＧＵＩ画面上の画像の形態であってもよいが、電子的メッセージ、物理的メッセージ、可聴メッセージ又はそれらの組み合わせなどの他の形態のメッセージであってもよい。尚、メッセージはそれに限定されない。このステップの後、方法３００はステップ３３５へ進んでもよい。
【００３７】
ステップ３３３において、方法３００は、ステップ３２５で第１群システムが試験に合格しなかったためにターボ機械のパージを抑止するか否かを判定してもよい。特定の第１群システムの試験結果に応じて、ターボ機械のパージングは継続されてもよい。例えば、第１群が始動系統、発電機系統、又はターボ機械をパージ速度まで加速する他のシステムを含む場合、問題が解決されるまで、方法３００はパージング動作を抑止することを要求してもよい。尚、パージング動作の抑止が要求されるのは上記の場合に限定されない。パージングを抑止する場合、方法３００はステップ３３６へ進んでもよい。そうでない場合、方法３００はステップ３３９へ進んでもよい。
【００３８】
ステップ３３６において、方法３００はターボ機械のパージングを抑止してもよい。この場合、方法３００は、ターボ機械のパージングに影響する第１群システムと関連する問題が解決されるまでパージングが抑止されるという通知を発生してもよい。
【００３９】
ステップ３３９において、方法３００は、その他の第１群システムの試験を継続させつつターボ機械の始動を抑止してもよい。本発明の一実施形態は、１つの第１群システムが試験に合格しなかった場合でもターボ機械のパージングを継続させる。ステップ３３３に関して説明したように、障害のある特定の第１群システムに応じて、方法３００はターボ機械の始動を抑止するか又はパージの開始を阻止するかのいずれかである。現在周知のシステムの場合、第１群システムに障害が起こると、始動時にターボ機械は緊急停止される。本発明の実施形態によれば、第１群システムのすべてではなく、その一部のシステムの障害によりパージは抑止される。この特徴があるため、操作員はパージクレジットシーケンス及び他の第１群システムの試験を完了できる。ステップ３７０において説明されるように、障害のある第１群システムは、パージクレジットホールド中に修理されてもよい。第１群システムが修理された後、ターボ機械が始動を完了できるいう確信が操作員に与えられてもよい。
【００４０】
ステップ３４０において、方法３００は、第２の群のシステム（第２群システム）の試験を開始してもよい。特定のシステムごとの試験ルーチンは、同様の第２群システムの周知の試験ルーチンに類似していてもよい。本発明の一実施形態において、方法３００は操作員による試験開始を可能にするＧＵＩの画面を提供してもよい。本発明の別の実施形態において、方法３００は自動的に試験を開始してもよい。
【００４１】
ステップ３４５において、方法３００は、第２群システムの各システムが試験に合格するか否かを判定してもよい。各システムが試験に合格した場合、方法３００はステップ３５５へ進んでもよい。試験に合格しなかった場合、方法３００はステップ３５０へ進んでもよい。
【００４２】
ステップ３５０において、方法３００は、１つ以上の第２群システムが試験に合格しなかったという通知を発生してもよい。この通知は、警報、通知、ＧＵＩ画面上の画像の形態であってもよいが、電子的メッセージ、物理的メッセージ、可聴メッセージ又はそれらの組み合わせなどの他の形態のメッセージであってもよい。尚、メッセージはそれに限定されない。このステップの後、方法３００はステップ３５５へ進んでもよい。
【００４３】
ステップ３５５において、方法３００はパージ換気タイマが時間切れになったか否かを判定してもよい。前述したように、いくつかのターボ機械は点火及び燃焼の前にパージサイクルを要求する。パージ換気タイマが時間切れである場合、方法３００はステップ３６５へ進んでもよい。時間切れではない場合、方法３００はステップ３６０へ進んでもよい。
【００４４】
ステップ３６０において、方法３００はターボ機械の動作を維持してもよい。この場合、ターボ機械はパージ換気タイマが時間切れになるまでパージ速度に維持されてもよい。パージ換気タイマが時間切れになった後、方法３００はステップ３５５に戻ってもよい。
【００４５】
ステップ３６５において、方法３００は動作許可を有効化してもよい。この許可は、操作員にターボ機械の始動を進めさせるために使用されてもよい。方法３００は、第１群システム及び第２郡システムの障害によって始動を抑止又は中断する必要はないというある程度の確信を操作員に与えてもよい。
【００４６】
ステップ３７０において、方法３００は、パージホールドタイマが時間切れであるか否かを判定してもよい。これは、一般に始動過程の前にターボ機械のパージングの維持を確実にしようとするためのタイマである。ターボ機械はパージング中であるが始動されていない場合、パージングされた物質がターボ機械又は関連補助装置の中に逆流する可能性がある。パージホールドタイマはターボ機械のパージから始動に至るまでの休止時間を制限する。例えば、一連のガスタービンは４８時間のパージホールドタイマを有してもよいが、それに限定されない。パージホールドタイマが時間切れではない場合、方法３００はステップ３７５へ進んでもよい。時間切れである場合、方法３００はステップ３９０へ進んでもよい。
【００４７】
ステップ３７５において、方法３００は、ターボ機械を始動するために操作員が高速始動オプションを選択したか否かを判定してもよい。この場合、ＧＵＩは正常始動オプション及び高速始動オプションを示してもよい。操作員が高速始動オプションを選択していた場合、方法３００はステップ３８０へ進んでもよい。選択しなかった場合、方法３００はステップ３６５へ進んでもよい。
【００４８】
ステップ３８０において、方法３００は、ターボ機械の高速始動が望まれていることをタービン制御システムなどへ通信してもよい。
【００４９】
ステップ３８５において、方法３００は高速始動許可を無効化してもよい。これはパージホールドタイマが時間切れになったためである。
【００５０】
ステップ３９０において、方法３００は、高速始動許可を再び有効化すべきか否かを判定してもよい。この場合、ＧＵＩは、ターボ機械の再度の高速始動を求めるか又は正常始動を求めるかを操作員が決定するように促してもよい。再度の高速始動が望まれた場合、方法３００はステップ３１５に戻ってもよい。そうでない場合、方法３００はステップ３９５へ進んでもよい。ステップ３９５において、方法３００は、ＧＵＩを介してユーザにターボ機械の正常始動を選択させてもよい。
【００５１】
以上説明したように、本発明の実施形態は、ターボ機械を始動するために必要とされる時間を相当に短縮してもよい。更に、本発明の実施形態は、ターボ機械の動作支援システムの高速始動の準備が完了しているというあるレベルの確信を操作員に与えてもよい。
【００５２】
本発明の他の可能な実施形態を形成するために、いくつかの例示的な実施形態に関連して先に説明された多くの種々の特徴及び構成が選択的に更に適用されてもよいことは当業者には理解されるだろう。更に、以下に示されるいくつかの特許請求の範囲に含まれるあらゆる組み合わせ及び可能な実施形態は本出願の一部であることを意図するが、本発明が可能な限りすべて詳細に提供又は説明されるわけではないことも当業者には理解されるだろう。また、本発明のいくつかの例示的な実施形態の説明から、当業者は、改良、変更及び変形を認識するだろう。当業者の理解の範囲内のそのような改良、変更及び変形も添付の特許請求の範囲に含まれることが意図される。更に、以上の説明は本出願の説明済みの実施形態のみに関連すること、並びに添付の特許請求の範囲及びそれと同等のものにより定義される本出願の精神及び範囲から逸脱することなく多くの変更及び変形が実施されてもよいことは明らかなはずである。
【符号の説明】
【００５３】
１００    ターボ機械
１１０    圧縮機部分
１２０    燃焼系統
１２５    燃料供給系統
１３０    タービン部分
１３５    流路
１４０    中間部分
１５０    動作支援システム
１６０    燃料供給系統
１７０    負荷
１８０    動作データ
１９０    タービン制御システム
２００    方法
３００    方法
【図１】
2011132959.tif 000003
【図２】
2011132959.tif 000004
【図３Ａ】
2011132959.tif 000005
【図３Ｂ】
2011132959.tif 000006